(57)【要約】【課題】管継手の運搬中または保管中に、管端周面に加工されたベベル形状を保護する管端保護具と、管端周面に加工されたベベル形状を保護するとともに、継手内部に異物等の侵入を防止する管端保護具を提供する。【解決手段】（１）開口する片端または両端の円筒部材の周面にベベル加工が施されており、これら円筒部材の両端に、側面にスリットを設けたコルゲートチューブを嵌着させ、前記円筒部材の全周面を覆うことを特徴とする管継手の管端保護具である。（２）開口する片端または両端の円筒部材の周面にベベル加工が施されており、これら円筒部材の両端に、締結バンドで緊締されたガード板を密着させることを特徴とする管継手の管端保護具である。【選択図】図５
0003139395.tif 000002
【実用新案登録請求の範囲】
【請求項１】
開口する片端または両端の円筒部材の周面にベベル加工が施されており、これら円筒部材の両端に、側面にスリットを設けたコルゲートチューブを嵌着させ、前記円筒部材の全周面を覆うことを特徴とする管継手の管端保護具。
【請求項２】
開口する片端または両端の円筒部材の周面にベベル加工が施されており、これら円筒部材の両端に、締結バンドで緊締されたガード板を密着させることを特徴とする管継手の管端保護具。
【考案の詳細な説明】
【技術分野】
【０００１】
本考案は、配管系に使用される管継手の管端保護具に関し、継手の運搬中または保管中に、管端周面に加工されたベベル形状を保護するとともに、継手の内部に異物や水分を含む汚染空気等が侵入し、管継手の内部が汚されることを防止することができる管継手の管端保護具に関するものである。
【背景技術】
【０００２】
発電および化学プラント等に用いられる継手配管、例えば、エルボ配管はエルボ継手とエルボ継手の両端に溶接された配管部とから構成される。このため、管継手として用いられるエルボ継手の開口する片端または両端の円筒部材の周面にベベル加工が施され、溶接される配管との溶接施工性の向上が図られる。以下の説明では、管継手の例示としてエルボ継手を用いて説明する。
【０００３】
通常、エルボ継手の運搬中または保管中に、管端周面に加工されたベベル形状を保護することが必要になる。また、エルボ継手の運搬中または保管中に、継手の内部に異物や水分を含む汚染空気等が侵入し、エルボ継手の内部が汚染され、内面欠陥や内面腐食の要因になるのを回避する必要がある。
【０００４】
通常、ベベル形状を保護するため、または内部汚染を防止するため、エルボ継手の本体を木枠で梱包して運搬中または保管中のトラブルを防止したり、エルボ継手の管端に合成樹脂製の保護キャップを装着させることが行われている。
【０００５】
図１および図２は、エルボ継手に従来の保護キャップを装着した一例を示す概略構成を示す図である。図１に示す保護キャップ１ｃは、エルボ継手２の管端部の開口に押し込んで、保護キャップ１ｃの弾力性によってエルボ継手２の内面に圧接し摩擦力によって装着・保持されている。
【０００６】
また、図２に示す保護キャップ１ｃは、エルボ継手２の管端部に嵌合させることにより、保護キャップの弾力性によってエルボ継手２の外周面に圧接し摩擦力によって装着・保持されて使用される。
【考案の開示】
【考案が解決しようとする課題】
【０００７】
前述の通り、エルボ継手を保護するため、木枠で継手本体を梱包して運搬中または保管中のトラブルを防止する場合には、木枠梱包のために多大な作業工数が必要になるとともに、木枠作製のために資材費が増大することになる。
【０００８】
図３は、エルボ継手の管端周面に加工される特殊なベベルエンドの断面形状を示す図である。前記図１および図２に示す保護キャップ１ｃは、運搬中または保管中に管継手から外れる危険を避けるため、保護キャップ１ｃは管端部に密着しているが、エルボ継手２の特殊なベベルエンド３の形状を有効に保護するのに適していない。
【０００９】
また、同保護キャップ１ｃの外周縁もエルボ継手２の管端部に密着し、管継手２の外周面から突出することはない形状となっているため、エルボ継手２を配管材に溶接するとき、継手に装着されている保護キャップ１ｃを先ず取外すことになるが、作業者は手袋を使用していることもあり、保護キャップ１ｃを取外すのに手間を要し、エルボ継手の溶接施工性が低下するという問題がある。
【００１０】
本考案は、上記従来技術の問題点を鑑みてなされたものであり、エルボ継手などの管継手を運搬中または保管中に管継手から外れることがなく、簡易に管端周面に加工されたベベル形状を保護するとともに、継手の内部に異物や水分を含む汚染空気等が侵入し、継手の内部が汚されることを防止することができる管継手の管端保護具を提供することを目的とするものである。
【課題を解決するための手段】
【００１１】
本考案は、前記の課題を解決するためなされたものであり、下記（１）および（２）の管継手の管端保護具を要旨としている。
（１）開口する片端または両端の円筒部材の周面にベベル加工が施されており、これら円筒部材の両端に、側面にスリットを設けたコルゲートチューブを嵌着させ、前記円筒部材の全周面を覆うことを特徴とする管継手の管端保護具である。
（２）開口する片端または両端の円筒部材の周面にベベル加工が施されており、これら円筒部材の両端に、締結バンドで緊締されたガード板を密着させることを特徴とする管継手の管端保護具である。
本考案で規定する「管継手」は、明細書中ではエルボ継手を例示して説明しているが、これに限定されるものではなく、Ｔ、レジューサおよびキャップも包含される。
【考案の効果】
【００１２】
本考案の管継手の管端保護具によれば、簡易な構造であって、管継手を運搬中または保管中に継手端面から外れることがなく、管端周面に加工されたベベル形状を保護するとともに、継手の内部に異物や水分を含む汚染空気等が侵入し、管継手の内部が汚されること、さらに内面が錆びることを防止することができる。
【考案を実施するための最良の形態】
【００１３】
本考案の管端保護具は、開口する片端または両端の円筒部材の周面にベベル加工が施された管継手の両端を、側面にスリットを設けたコルゲートチューブを嵌着させることにより、または前記管継手の両端に、締結バンドで緊締されたガード板を密着させることにより、管継手を運搬中または保管中にベベル形状を保護できる。さらに、締結バンドで緊締されたガード板を密着させる方法では、継手の内部に異物や水分を含有する汚染空気等が侵入することを防止することができ、管継手の内面部が汚されることを防止することができる。
本考案の管端保護具のうち、締結バンドで緊締されたガード板を用いる方法は、コルゲートチューブを嵌着させることが困難な厚肉材を対象とする場合、内面にほこり等の異物侵入を防止する場合、さらに乾燥剤を投入して内面錆を抑制する場合に適用される。
【実施例】
【００１４】
以下、本考案の管継手として用いられるエルボ継手の管端保護具を実施例１、２により説明する。
（実施例１）
図４は、本考案の実施例１の管端保護具の使用状況を説明する図である。実施例１の管端保護具管１は、難燃性ポリプロピレンを材料として押出成形されたコルゲートチューブ１ａを用いている。コルゲートチューブ１ａは、蛇腹の付いた中空チューブであり、柔軟性および耐摩耗性に優れるとともに、形状復元率も高く、寒冷地にも強いことからエルボ継手２の保護性には良好である。
【００１５】
実施例１の管端保護具として用いられるコルゲートチューブ１ａは、側面にスリットを設けていることから自由自在に変形が可能であり、周面にベベル加工が施された管端部に嵌着してエルボ継手２の管端部の全周面を覆うことができるように形成されている。
【００１６】
実施例１の管端保護具１では、管端部に嵌着されたコルゲートチューブ１ａが衝撃にともなって脱落するのを防止するため、粘着テープ４を用いて、エルボ継手２の管端部とコルゲートチューブ１ａを粘着させるのが望ましい。
【００１７】
（実施例２）
図５は、本考案の実施例２の管端保護具の使用状況を説明する図である。実施例２の管端保護具管１は、ベベル加工が施されたエルボ継手２の両端に、締結バンド５で緊締されたガード板１ｂを密着させることにより構成される。
【００１８】
実施例２に用いられるガード板１ｂは、特に材質が限定されるものではないが、慣用される板材であれば良く、例えばベニヤ板を用いることができる。実施例２のガード板１ｂは、対象とするエルボ継手２の管端の形状および寸法に沿うように成形されたものであり、エルボ継手２の両端から締結バンド５により緊締される。
【００１９】
締結バンド５によりガード板１ｂを緊締する際には、エルボ継手２の両端にガード板１ｂを配置し、それぞれのガード板１ｂに設けられている通し穴６に締結バンド５を通し、エルボ継手２の両端に亘る１本の締結バンドのループを構成する。その後、ループ状の締結バンド５に機械締めを施し、エルボ継手２の両端に配置されたガード板１ｂを緊締し、締結バンド５を結合する。締結バンド５を結合する方式は、慣用される方法で良く、例えば、締結バンド５を加熱凝着する方法を用いることができる。
【００２０】
実施例２の管端保護具１を使用する場合に、エルボ継手２の両端に配置されたガード板１ｂを取り除く場合には、締結バンド５をカッター等で切断することによって、容易に開放することができる。
【産業上の利用可能性】
【００２１】
本考案の管継手の管端保護具によれば、簡易な構造であって、管継手を運搬中または保管中に継手端面から外れることがなく、管端周面に加工されたベベル形状を保護するとともに、継手の内部に異物や水分を含む汚染空気等が侵入し、管継手の内部が汚されることを防止できる。これにより管継手に用いられる管端保護やベベルガード部材として広く利用することができる。
【図面の簡単な説明】
【００２２】
【図１】エルボ継手に従来の保護キャップを装着した一例を示す概略断面図である。
【図２】エルボ継手に従来の保護キャップを装着した一例を示す概略構成図である。
【図３】エルボ継手の管端周面に加工される特殊なベベルエンドの断面形状を示す図である。
【図４】本考案の実施例１の管端保護具の使用状況を説明する図である。
【図５】本考案の実施例２の管端保護具の使用状況を説明する図である。
【符号の説明】
【００２３】
１：管端保護具、  １ａ：コルゲートチューブ
１ｂ：ガード板、  １ｃ：保護キャップ
２：管継手、エルボ継手、  ３：（エルボ継手）ベベルエンド
４：粘着テープ、  ５：締結バンド
６：通し穴
【図１】
0003139395.tif 000003
【図２】
0003139395.tif 000004
【図３】
0003139395.tif 000005
【図４】
0003139395.tif 000006
【図５】
0003139395.tif 000007